(57)【要約】【課題】  記録画像の取捨選択のときに、ユーザーが画像の合焦状態の確認をより容易にできる手段を提供する。【解決手段】  撮像装置は、撮像部と、記録インターフェースと、画像処理部と、表示部とを備える。撮像部は、撮像画面内の被写体像を撮像して撮像画像のデータを生成する。記録インターフェースは、不揮発性の記憶媒体に対して撮像画像のデータの記録を行う。画像処理部は、撮像画像に対して空間方向の微分演算処理を施して輪郭画像を生成する。表示部は、撮像画像のデータが記憶媒体に記録される前に、撮像画像に対応する表示画像と輪郭画像とを関連付けて表示する。【選択図】  図１
2010021835.tif 000002
【特許請求の範囲】
【請求項１】
撮像画面内の被写体像を撮像して撮像画像のデータを生成する撮像部と、
不揮発性の記憶媒体に対して前記撮像画像のデータの記録を行う記録インターフェースと、
前記撮像画像に対して空間方向の微分演算処理を施して輪郭画像を生成する画像処理部と、
前記撮像画像のデータが前記記憶媒体に記録される前に、前記撮像画像に対応する表示画像と前記輪郭画像とを関連付けて表示する表示部と、
を備えることを特徴とする撮像装置。
【請求項２】
請求項１に記載の撮像装置において、
前記撮像部は、連写撮影によって複数フレームの前記撮像画像のデータを生成し、
前記画像処理部は、連写撮影された前記撮像画像の各フレームについて前記輪郭画像をそれぞれ生成することを特徴とする撮像装置。
【請求項３】
請求項１に記載の撮像装置において、
前記画像処理部は、前記微分演算処理後の画像の画素値を所定の閾値で二値化して前記輪郭画像を生成することを特徴とする撮像装置。
【請求項４】
請求項１に記載の撮像装置において、
前記撮像画面に設定された焦点調節エリアの被写体を基準として撮像光学系の焦点調節を行う焦点調節部をさらに備え、
前記画像処理部は、前記焦点調節エリアの位置に基づいて設定された前記撮像画像の部分領域を対象として、前記輪郭画像を生成することを特徴とする撮像装置。
【請求項５】
請求項２に記載の撮像装置において、
前記画像処理部は、前記微分演算処理の結果に基づいて、前記撮像画像の各フレームに優先順位を設定し、
前記表示部は、前記撮像画像での前記優先順位に応じて、前記表示画像および前記輪郭画像の表示順をソートした状態で表示することを特徴とする撮像装置。
【請求項６】
請求項１に記載の撮像装置において、
前記表示画像に対応する前記撮像画像のデータの記録の可否を示す入力を受け付ける操作部をさらに備え、
前記記録インターフェースは、前記操作部からの入力で記録が指示された前記撮像画像のデータを前記記憶媒体に記録することを特徴とする撮像装置。
【発明の詳細な説明】
【技術分野】
【０００１】
本発明は、撮像画像の表示機能および記録機能を備えた撮像装置に関する。
【背景技術】
【０００２】
従来から、電子カメラを用いた撮像では、ユーザーの選択によって、記録用の画像として好ましい画像のみを記憶媒体に残すことが行われている。一例として、特許文献１には、連写撮影された一連の画像のうちで、ユーザーによって選択された画像のみを最終的に記録する電子カメラの構成が開示されている。
【特許文献１】特許第２５２６８２５号公報
【発明の開示】
【発明が解決しようとする課題】
【０００３】
ところで、撮像直後に電子カメラ上で記録画像の取捨選択を行う場合、ユーザーが個々の記録画像をモニタで逐一確認して取捨選択の判断を行なう必要がある。このとき、画像の合焦箇所を一目で判断することは必ずしも容易ではなく、その改善がなお要請されていた。
【０００４】
そこで、本発明の目的は、記録画像の取捨選択のときに、ユーザーが画像の合焦状態の確認をより容易にできる手段を提供することにある。
【課題を解決するための手段】
【０００５】
一の態様の撮像装置は、撮像部と、記録インターフェースと、画像処理部と、表示部とを備える。撮像部は、撮像画面内の被写体像を撮像して撮像画像のデータを生成する。記録インターフェースは、不揮発性の記憶媒体に対して撮像画像のデータの記録を行う。画像処理部は、撮像画像に対して空間方向の微分演算処理を施して輪郭画像を生成する。表示部は、撮像画像のデータが記憶媒体に記録される前に、撮像画像に対応する表示画像と輪郭画像とを関連付けて表示する。
【０００６】
上記の一の態様において、撮像部は、連写撮影によって複数フレームの撮像画像のデータを生成してもよい。そして、画像処理部は、連写撮影された撮像画像の各フレームについて輪郭画像をそれぞれ生成してもよい。
【０００７】
このとき、画像処理部は、微分演算処理の結果に基づいて、撮像画像の各フレームに優先順位を設定してもよい。そして、表示部は、撮像画像での優先順位に応じて、表示画像および輪郭画像の表示順をソートした状態で表示してもよい。
【０００８】
上記の一の態様において、画像処理部は、微分演算処理後の画像の画素値を所定の閾値で二値化して輪郭画像を生成してもよい。
【０００９】
上記の一の態様の撮像装置は、撮像画面に設定された焦点調節エリアの被写体を基準として撮像光学系の焦点調節を行う焦点調節部をさらに備えていてもよい。そして、画像処理部は、焦点調節エリアの位置に基づいて設定された撮像画像の部分領域を対象として、輪郭画像を生成してもよい。
【００１０】
上記の一の態様の撮像装置は、表示画像に対応する撮像画像のデータの記録の可否を示す入力を受け付ける操作部をさらに備えていてもよい。そして、記録インターフェースは、操作部からの入力で記録が指示された撮像画像のデータを記憶媒体に記録してもよい。
【発明の効果】
【００１１】
一の態様によれば、撮像画像のデータが記憶媒体に記録される前に、撮像画像に対応する表示画像と輪郭画像とが関連付けされて表示される。かかる表示により、ユーザーが撮像画像の合焦状態の確認を容易に行うことができる。
【発明を実施するための最良の形態】
【００１２】
＜一の実施形態の説明＞
図１は、一の実施形態の電子カメラの概略構成を示すブロック図である。電子カメラは、撮像光学系１１と、レンズ駆動部１２と、撮像素子１３と、タイミングジェネレータ（ＴＧ）１４と、ＡＦＥ１５と、ＣＰＵ１６と、バッファメモリ１７と、記録Ｉ／Ｆ１８と、モニタ１９と、レリーズ釦２０および操作部材２１とを有している。ここで、レンズ駆動部１２、ＴＧ１４、ＡＦＥ１５、バッファメモリ１７、記録Ｉ／Ｆ１８、モニタ１９、レリーズ釦２０および操作部材２１は、それぞれＣＰＵ１６と接続されている。
【００１３】
撮像光学系１１は、ズームレンズ、フォーカシングレンズを含む複数のレンズ群で構成されている。上記のフォーカシングレンズのレンズ位置は、レンズ駆動部１２によって光軸方向に調整される。なお、簡単のため、図１では撮像光学系１１を１枚のレンズとして図示する。
【００１４】
撮像素子１３は、撮像光学系１１によって結像される被写体像を撮像して画像信号を生成する。この撮像素子１３の受光面には、複数の受光素子がマトリックス状に配列されている。また、撮像素子１３の各受光素子には、赤色（Ｒ）、緑色（Ｇ）、青色（Ｂ）のカラーフィルタが公知のベイヤ配列にしたがって配置されている。そのため、撮像素子１３の各受光素子は、カラーフィルタでの色分解によってそれぞれの色に対応する画像信号を出力する。なお、撮像素子１３の出力はＡＦＥ１５に接続されている。
【００１５】
また、電子カメラの撮像モードにおいて、撮像素子１３はレリーズ釦２０の全押し操作に応答して記録用の静止画像（本画像）を撮像する。また、撮像モードでの撮像素子１３は、撮像待機時にも所定間隔毎に観測用の画像（スルー画像）を連続的に撮像する。ここで、時系列に取得されたスルー画像のデータは、モニタ１９での動画像表示やＣＰＵ１６による各種の演算処理に使用される。
【００１６】
ＴＧ１４は、ＣＰＵ１６の指示に基づいて、撮像素子１３およびＡＦＥ１５に対して制御パルスを供給する。なお、撮像素子１３の電荷蓄積時間や信号読みだしのタイミングは、ＴＧ１４の制御パルスによって調整されることとなる。
【００１７】
ＡＦＥ１５は、撮像素子１３の出力に対してアナログ信号処理を施すアナログフロントエンド回路である。このＡＦＥ１５では、相関二重サンプリングや、画像信号のゲインの調整や、画像信号のＡ／Ｄ変換が行なわれる。
【００１８】
ＣＰＵ１６は、電子カメラの動作を統括的に制御するとともに、各種の画像処理を行うプロセッサである。このＣＰＵ１６は、ＡＦ制御部２２および画像処理部２３を有している。
【００１９】
ＡＦ制御部２２は、スルー画像のデータを用いて、公知のコントラスト検出による撮像光学系１１の焦点調節を行う。上記のＡＦ制御部２２による焦点調節は、撮像画面（本画像の撮像範囲に対応する）に設定された焦点調節エリアの被写体を基準として行われる。なお、焦点調節エリアの位置の指定は、ユーザーがマニュアルで指定してもよく、公知のＡＦアルゴリズム（例えば至近優先や中央優先など）によってＡＦ制御部２２が指定するものでもよい。
【００２０】
画像処理部２３は、デジタルの画像信号に対して各種の画像処理（色補間処理、階調変換処理、輪郭強調処理、ホワイトバランス調整など）を施す。また、画像処理部２３は、本画像のデータの圧縮伸長処理も実行する。
【００２１】
また、画像処理部２３は、画像の解像度変換（画素数変換）を実行する。一例として、画像処理部２３は、スルー画像または本画像に解像度変換を施してモニタ１９での表示画像を生成する。さらに、一の実施形態での画像処理部２３は、本画像のデータに対して微分演算処理を施して輪郭画像を生成する。
【００２２】
バッファメモリ１７は、ＣＰＵ１６による画像処理の前工程や後工程で画像のデータを一時的に記憶する。このバッファメモリ１７は、揮発性の記憶媒体（例えばＳＤＲＡＭなど）で構成される。
【００２３】
記録Ｉ／Ｆ１８には、不揮発性の記憶媒体２４を接続するためのコネクタが形成されている。そして、記録Ｉ／Ｆ１８は、コネクタに接続された記憶媒体２４に対して撮像画像のデータの書き込みを実行する。上記の記憶媒体２４は、ハードディスクや、半導体メモリを内蔵したメモリカードなどで構成される。なお、図１では記憶媒体２４の一例としてメモリカードを図示する。
【００２４】
モニタ１９は、ＣＰＵ１６の指示に応じて各種の画像を表示する。例えば、一の実施形態での本画像の撮像時において、ＣＰＵ１６は、本画像に対応する表示画像と上記の輪郭画像とを関連付けしてモニタ１９に表示させることができる。
【００２５】
レリーズ釦２０は、半押し操作による撮像前のＡＦ動作開始の指示入力と、全押し操作による撮像動作開始の指示入力とをユーザーから受け付ける。また、操作部材２１は、例えば、コマンドダイヤル、十字状のカーソルキー、決定釦などで構成されており、電子カメラに対する各種入力をユーザーから受け付ける。
【００２６】
以下、図２の流れ図を参照しつつ、一の実施形態の電子カメラにおける撮像モードの動作例を説明する。ここで、図２に示す動作例では、電子カメラが本画像の連写撮影を行うとともに、連写撮影で取得された本画像のうちからユーザーによって選択された画像のみが最終的に記憶媒体２４に記録される。
【００２７】
また、上記の撮像モードでの電子カメラの動作は、ＣＰＵ１６の実行するシーケンスプログラムによって制御される。なお、ＣＰＵ１６は、レリーズ釦２０の全押し操作による連写撮影の開始指示に応じて、図２の流れ図に示す一連の処理を開始する。
【００２８】
（ステップＳ１０１）
ＣＰＵ１６は、レリーズ釦２０の全押し操作に応じて撮像素子１３を駆動させて、本画像の連写撮影を実行する。このＳ１０１でのＣＰＵ１６は、連写撮影のフレーム数が所定数に到達するか、あるいはユーザーによる連写撮影の終了指示（例えば、レリーズ釦２０の全押し操作の解除）があるまで、本画像の撮像を繰り返し行う。また、Ｓ１０１の連写撮影で生成された本画像の各フレームのデータは、ＡＦＥ１５および画像処理部２３で所定の処理が施された後に、それぞれバッファメモリ１７に一時的に記憶される。なお、一の実施形態では、Ｓ１０１でバッファリングされた上記の本画像のデータのうち、ユーザーによって選択されたものが記憶媒体２４に記録されることとなる。
【００２９】
また、Ｓ１０１での画像処理部２３は、各々の本画像に解像度変換を施して低解像度のサムネイル画像も生成する。なお、サムネイル画像のデータは、後述のモニタ１９での表示に用いられる。
【００３０】
（ステップＳ１０２）
画像処理部２３は、ＡＦＥ１５から出力される本画像のＲＡＷデータ（色補間処理前のＲＧＢ画像のデータ）に対して、各フレームごとに微分演算処理を実行する。この１０２の処理によって、Ｓ１０１でバッファリングされる本画像のデータとは別に、微分演算処理後の画像のデータ（微分値マップ）が各フレームごとに生成される。なお、Ｓ１０２の処理は、実際にはＳ１０１における本画像のデータの生成処理と並行して行なわれる。
【００３１】
一例として、Ｓ１０２での画像処理部２３は、各々の本画像のＲＡＷデータに対して、以下の（イ）から（ニ）の処理を実行する。
【００３２】
（イ）画像処理部２３は、ＲＡＷデータのＧ画素のうちから、処理対象となる注目画素を指定する。
【００３３】
（ロ）画像処理部２３は、注目画素の位置を基準として、２種類の１次微分フィルタ（Ｒｏｂｅｒｔｓオペレータ）によるフィルタ演算を実行する。これにより、画像処理部２３は、１つの注目画素について２方向の微分値（Δｘ，Δｙ）をそれぞれ取得する。
【００３４】
ここで、Δｘ方向およびΔｙ方向の微分値を求めるための微分フィルタの構成例を図３に示す。また、図４は、ＲＡＷデータでの画素配列と微分フィルタで演算対象となる画素との対応関係を示す図である。なお、図４では、ベイヤ配列のＧｂ画素が注目画素となる例を示している。
【００３５】
図４の例によれば、注目画素となるＧｂ画素（Ｐ５）を中心として、その周囲の隣接するＧｂ画素（Ｐ１〜Ｐ４，Ｐ６〜Ｐ９）が微分フィルタでの演算対象の画素となる。勿論、注目画素がＧｒ画素の場合は、図４の例とは逆に周囲のＧｒ画素が演算対象の画素となることはいうまでもない。そして、画像処理部２３は、下式（１）によりΔｘの値を求めるとともに、下式（２）によりΔｙの値を求める。
【００３６】
【数１】
2010021835.tif 000003
なお、式（１）、式（２）での「Ｐ１からＰ９」は、それぞれ画素Ｐ１から画素Ｐ９の画素値を示している。
【００３７】
（ハ）画像処理部２３は、下式（３）によって、注目画素での最終的な微分値ｄを演算する。その後、画像処理部２３は、現在の注目画素の位置と微分値ｄとの対応関係をバッファメモリ１７に記録する。
【００３８】
【数２】
2010021835.tif 000004
（ニ）画像処理部２３は、注目画素の位置を変更して上記（ロ）および（ハ）の処理を繰り返し、本画像の各Ｇ画素でそれぞれ微分値ｄを取得する。以上の処理により、１フレーム分の微分値マップが生成されることとなる。
【００３９】
（ステップＳ１０３）
画像処理部２３は、各フレームの微分値マップ（Ｓ１０２で取得したもの）を用いて、各々の本画像に対応する輪郭画像のデータを生成する。以下、図５を参照しつつ、Ｓ１０３での輪郭画像の生成処理のサブルーチンを説明する。
【００４０】
ステップＳ２０１：画像処理部２３は、全ての微分値マップにわたって各々の微分値ｄを積算し、全画像での微分値ｄの平均値を演算する。
【００４１】
ステップＳ２０２：画像処理部２３は、全画像での微分値ｄの平均値（Ｓ２０１）を、後述の二値化処理のときの閾値Ｔｈに設定する。
【００４２】
ステップＳ２０３：画像処理部２３は、複数の微分値マップのうちから、輪郭画像の生成対象を指定する。このＳ２０３での画像処理部２３は、本画像の撮像順にしたがって、輪郭画像の生成対象の微分値マップを順次指定するものとする。
【００４３】
ステップＳ２０４：画像処理部２３は、輪郭画像の生成対象となった微分値マップから、二値化処理を行う注目画素を指定する。
【００４４】
ステップＳ２０５：画像処理部２３は、注目画素（Ｓ２０４）での微分値ｄが閾値Ｔｈ（Ｓ２０２）より大きいか否か（ｄ＞Ｔｈか否か）を判定する。上記要件を満たす場合（ＹＥＳ側）にはＳ２０６に移行する。一方、上記要件を満たさない場合（ＮＯ側）にはＳ２０７に移行する。
【００４５】
ステップＳ２０６：画像処理部２３は、輪郭画像における現在の注目画素での画素値を「Ｈｉｇｈ（１値）」に設定し、この輪郭画像の画素値をバッファメモリ１７に記録する。なお、Ｓ２０６での処理後はＳ２０８に処理が移行する。
【００４６】
ステップＳ２０７：画像処理部２３は、輪郭画像における現在の注目画素での画素値を「Ｌｏｗ（０値）」に設定し、この輪郭画像の画素値をバッファメモリ１７に記録する。
【００４７】
ステップＳ２０８：画像処理部２３は、輪郭画像の生成対象となっている微分値マップについて、全画素で二値化処理が終了したか否かを判定する。上記要件を満たす場合（ＹＥＳ側）にはＳ２０９に移行する。この場合（Ｓ２０８のＹＥＳ側）は、１フレーム分の輪郭画像の生成が終了した場合に相当する。一方、上記要件を満たさない場合（ＮＯ側）には、画像処理部２３はＳ２０４に戻って注目画素を変更するとともに、上記の動作を繰り返す。
【００４８】
ステップＳ２０９：画像処理部２３は、輪郭画像の生成対象の微分値マップが、連写撮影の最後のフレームのものか否かを判定する。上記要件を満たす場合（ＹＥＳ側）は、全フレームの輪郭画像の生成が終了したため、画像処理部２３はサブルーチンを終了してＳ１０４の処理に移行する。一方、上記要件を満たさない場合（ＮＯ側）には、画像処理部２３はＳ２０３に戻って輪郭画像の生成対象を次フレームに変更するとともに、上記の動作を繰り返す。以上で、図５のサブルーチンの説明を終了する。
【００４９】
（ステップＳ１０４）
ＣＰＵ１６は、連写撮影による各フレームのサムネイル画像（Ｓ１０１）および輪郭画像（Ｓ１０３）を関連付けしてモニタ１９に表示する。そして、ＣＰＵ１６は、本画像のうちで記憶媒体２４に記録する画像の指定をユーザーから受け付ける。
【００５０】
一例として、Ｓ１０４でのＣＰＵ１６は、予め設定されたフレーム数（例えば４フレーム分）のサムネイル画像をモニタ１９に一覧表示する。そして、ＣＰＵ１６は、ＧＵＩ形式のポインタ（画像を選択する枠表示など）をモニタ１９上に表示して、ユーザーにサムネイル画像を選択させる。このとき、ＣＰＵ１６は、ポインタで現在選択されているサムネイル画像に対応する輪郭画像を、特別なウィンドウでモニタ１９上に表示する（図６参照）。
【００５１】
また、ポインタで選択されているサムネイル画像に対応する本画像のデータを記憶媒体２４に残す場合には、ユーザーは操作部材２１から記録指示の入力を行う。なお、記録指示は、各々の本画像に対して個別に設定できる。その後、ＣＰＵ１６は、ユーザーから画像選択の終了の操作を受け付けると、サムネイル画像および輪郭画像の表示を終了させてＳ１０５に移行する。
【００５２】
ここで、上記のサムネイル画像の表示では、ユーザーは本画像の構図など容易に確認できる。しかし、各被写体のピントの状態までを確認することは難しい場合が多い。一方、上記の輪郭画像では、二値化処理によって輪郭が明瞭な箇所のみが強調されることとなる。
【００５３】
一例として、図６に示す第１フレームの画像のケースを説明する。この画像は、人物を主要被写体とするが、前ピンでボールにピントがあっているものとする。上記の第１フレームの輪郭画像において、ピントの合った前景側の被写体（ボール）の輪郭はつながった線となり、比較的に明瞭な状態で示される。一方、上記の輪郭画像では、前ピンでぼけてしまった主要被写体（人物）の輪郭はとぎれとぎれの状態となって、輪郭画像上で輪郭を視認することが困難となる。したがって、一の実施形態では、サムネイル画像と輪郭画像との対比によって、個々の本画像でピントの合っている被写体をユーザーが判断できる。これにより、ユーザーは画像の取捨選択をより迅速に行うことが可能となる。
【００５４】
また、上記の輪郭画像を二値化するときの閾値Ｔｈは、連写撮影で取得した全画像での微分値ｄの平均値である。したがって、上記の輪郭画像では、複数のフレーム間で比較したときに相対的に明瞭な輪郭のみが示されることとなる。そのため、連写撮影された各フレームの輪郭画像を相互に比較することで、所望の被写体への合焦度がより高い本画像をユーザーが抽出することも容易となる。
【００５５】
（ステップＳ１０５）
ＣＰＵ１６は、Ｓ１０１でバッファリングされている本画像のデータのうち、記録指示（Ｓ１０４）がされている本画像のデータを記憶媒体２４に記録する。なお、上記の記録指示のないバッファメモリ１７上の本画像のデータは、記憶媒体２４には記録されることなくＣＰＵ１６によって消去される。以上で、図２の流れ図の説明を終了する。
【００５６】
以下、一の実施形態の電子カメラの作用効果を述べる。一の実施形態の電子カメラでは、連写撮影で取得した本画像のうちから記憶媒体２４に記録する画像をユーザーに選択させるときに、サムネイル画像と輪郭画像とを関連付けてモニタ１９に表示する。そして、ユーザーは、サムネイル画像と輪郭画像との対比によって本画像での合焦状態を確認した上で、記憶媒体２４に残す本画像の選択を適切に行うことが可能となる。
【００５７】
＜実施形態の補足事項＞
（１）上記実施形態において、画像処理部２３は、微分演算処理の結果に基づいて本画像の各フレームに優先順位を設定してもよい。そして、上記のＳ１０４でのＣＰＵ１６は、本画像の優先順位に応じて、サムネイル画像および輪郭画像の表示順をソートしてモニタ１９に表示するようにしてもよい。
【００５８】
例えば、画像処理部２３は、各々の輪郭画像において二値化後の画素値の総和を求め、この画素値の総和が高いほど本画像の優先順位を高く設定する。その後、ＣＰＵ１６は、連写撮影された各フレームのサムネイル画像および輪郭画像をモニタ１９で表示するときに、上記の優先順位が高い順に表示してゆく。これにより、画像の取捨選択時（Ｓ１０４）において、合焦状態がより良好と考えられる画像から優先的にモニタ１９に表示されるので、記憶媒体２４に残す画像を選択するときのユーザーの利便性が一層向上する。
【００５９】
（２）上記実施形態において、画像処理部２３は、二値化処理のときの閾値Ｔｈをユーザーの入力に応じて設定するようにしてもよい。
【００６０】
一例として、画像処理部２３は、図２のＳ１０２の処理が終了した後に、全画像での画素値の分布を示すヒストグラムを生成してモニタ１９に表示する。そして、画像処理部２３は、ヒストグラムを参照してユーザーが画面上で指定した画素値を閾値Ｔｈとする。なお、上記の例のヒストグラム画面の例を図７に示す。この場合には、輪郭画像での二値化にユーザーの意図を反映させることが可能となる。
【００６１】
（３）上記実施形態では、本画像の全体に対応する輪郭画像を生成する例を示したが、本発明の構成は上記実施形態に限定されない。例えば、画像処理部２３は、本画像を撮像したときの焦点調節エリアの位置に基づいて撮像画面内に部分領域を設定し、この部分領域に対応する輪郭画像を生成するようにしてもよい。上記の構成によっても、主要被写体が存在する可能性が高い範囲での輪郭の状態をユーザーが把握でき、また、輪郭画像の生成時における電子カメラの演算負荷を軽減させることもできる。
【００６２】
（４）上記実施形態におけるサムネイル画像および輪郭画像の表示形態（Ｓ１０４）はあくまで一例にすぎない。例えば、ＣＰＵ１６は、サムネイル画像に対して輪郭画像を重畳させた状態でモニタ１９に表示させてもよい。また、ＣＰＵ１６は、サムネイル画像と輪郭画像とを同じ位置で交互に切り替えてモニタ１９に表示させてもよい（なお、これらの場合の図示は省略する）。
【００６３】
（５）上記実施形態における微分演算処理（Ｓ１０２）はあくまで一例にすぎず、画像処理部２３は、他の公知の微分フィルタ（ソーベルフィルタやラプラシアンフィルタなど）を用いてもよい。
【００６４】
（６）上記実施形態では画像処理部２３がＧ画素の出力から微分値ｄを求める例を説明したが、画像処理部２３はＲ画素またはＢ画素の出力から微分値ｄを求めるようにしてもよい。同様に、画像処理部２３は、ＹＣｂＣｒ色空間に変換した後のＹの出力から微分値ｄを求めるようにしてもよい。
【００６５】
（７）上記実施形態では、連写撮影のときにサムネイル画像および輪郭画像をモニタに表示して記録画像の取捨選択を行う例を示したが、１フレームずつ本画像を撮像する場合にも本発明を勿論適用できる。
【００６６】
以上の詳細な説明により、実施形態の特徴点および利点は明らかになるであろう。これは、特許請求の範囲が、その精神および権利範囲を逸脱しない範囲で前述のような実施形態の特徴点および利点にまで及ぶことを意図する。また、当該技術分野において通常の知識を有する者であれば、あらゆる改良および変更に容易に想到できるはずであり、発明性を有する実施形態の範囲を前述したものに限定する意図はなく、実施形態に開示された範囲に含まれる適当な改良物および均等物によることも可能である。
【図面の簡単な説明】
【００６７】
【図１】一の実施形態の電子カメラの概略構成を示すブロック図
【図２】一の実施形態の電子カメラにおける撮像モードの動作例を示す流れ図
【図３】（ａ）Δｘ方向の微分値を求めるための微分フィルタの構成例を示す図，（ｂ）Δｙ方向の微分値を求めるための微分フィルタの構成例を示す図
【図４】ＲＡＷデータでの画素配列と微分フィルタで演算対象となる画素との対応関係を示す図
【図５】図２のＳ１０３における輪郭画像の生成処理のサブルーチンを示す流れ図
【図６】図２のＳ１０４におけるモニタの表示例を示す図
【図７】ヒストグラム画面の例を示す図
【符号の説明】
【００６８】
１１…撮像光学系、１２…レンズ駆動部、１３…撮像素子、１６…ＣＰＵ、１７…バッファメモリ、１８…記録Ｉ／Ｆ、１９…モニタ、２０…レリーズ釦、２１…操作部材、２２…ＡＦ制御部、２３…画像処理部、２４…記憶媒体
【図１】
2010021835.tif 000005
【図２】
2010021835.tif 000006
【図３】
2010021835.tif 000007
【図４】
2010021835.tif 000008
【図５】
2010021835.tif 000009
【図６】
2010021835.tif 000010
【図７】
2010021835.tif 000011